(57)【要約】【課題】文字が彫り込まれた墓石、石碑、標石、記念碑、門、壁、塀又は瓦等の石製構造物であって、文字形状の凹部に装飾を施した石製構造物の製造を容易とすること、又、石製構造物に重厚感及び高級感を付与すること、又、耐久性を備えた装飾性を付与することを目的とする。【解決手段】墓石４に彫り込まれた文字５の凹部５０に、平面形状が前記文字の形状のブロック体２の上側面２１に金箔３を貼り付けて構成した立体文字体１を、前記金箔３を前面にして埋設した墓石４等の石製構造物。【選択図】  図１
2013166283.tif 000002
【特許請求の範囲】
【請求項１】
石製構造物に彫り込まれた文字の凹部に、平面形状が前記文字の形状のブロック体の上側面に金箔を貼り付けて構成した立体文字体を、前記金箔を前面にして埋設したことを特徴とする石製構造物。
【請求項２】
前記立体文字体の前面を覆う透明又は半透明の板体を設置したことを特徴とする請求項１に記載の石製構造物。
【請求項３】
前記ブロック体の材質は黄銅であることを特徴とする請求項１又は２に記載の石製構造物。
【請求項４】
前記石製構造物は、墓石、石碑、標石、記念碑、門、壁、塀又は瓦から選択される構造物であることを特徴とする請求項１から３のうちいずれか１項に記載の石製構造物。
【請求項５】
平面形状が石製構造物に彫り込まれた文字形状のブロック体を成形し、該文字形状のブロック体の上側面に金箔を貼り付けて立体文字体を成形し、前記石製構造物に彫り込まれた文字形状の凹部に、前記立体文字体を前記金箔を前面にして埋設することを特徴とする石製構造物の製造方法。
【請求項６】
前記文字形状のブロック体の成形において、石製構造物に彫り込まれた文字を写し取り、石製構造物に彫り込まれた文字が表示された拓本を作成し、平板状の板体又はブロック体に前記拓本を貼付け、前記拓本に転写された文字形状に従って、前記平板状の板体又はブロック体から文字部分を切り取り、文字形状のブロック体を成形することを特徴とする請求項５に記載の石製構造物の製造方法。
【請求項７】
前記立体文字体の前面を覆う透明又は半透明の板体を前記石製構造物に設置することを特徴とする請求項５又は６に記載の石製構造物の製造方法。
【発明の詳細な説明】
【技術分野】
【０００１】
本発明は、墓石等の石製構造物及び石製構造物の製造方法に関し、詳しくは、石製構造物に彫り込まれた文字形状の凹部に装飾を施した石製構造物及びその製造方法にする。
【背景技術】
【０００２】
従来から墓石、石碑、標石、記念碑、門、壁、塀又は瓦等の石製構造物には、氏名、家名、戒名、梵字、詩等の文字が彫り込まれて表示されている。
【０００３】
そして、これらの石製構造物には、石製構造物の彫り込まれた文字を鮮明に表示し又は装飾するために、彫り込まれた部分に着色を施した石製構造物もあった。
【０００４】
しかし、塗料等で着色したものは、長年の風雨や直射日光等により劣化して落剥、変色して、文字を鮮明に表示する目的や装飾する目的を果たせなくなるばかりか、かえって見苦しくなってしまっていた。
【０００５】
そこで、石製構造物の彫り込まれた文字を永久的に鮮明に表示し又は装飾するために、彫り込みの凹部に石材を嵌合した墓石が提案されている（特許文献１）。
【０００６】
又、石製構造物の彫り込まれた文字部分に汚れが溜まり、或いは虫が巣くったりして見栄えが悪くなることを防止し、又、彫り込みにより残される凸部の欠損を防止するために、凹部に合成樹脂と砂の混合物を充填した墓石（特許文献２）や凹部に透明な充填材を充填した墓石（特許文献３）が提案されている。
【先行技術文献】
【特許文献】
【０００７】
【特許文献１】実開昭６３−３３９９９号公報
【特許文献２】特開２００７−２３５９３号公報
【特許文献３】特開２００５−１１３４７１号公報
【発明の概要】
【発明が解決しようとする課題】
【０００８】
しかし、特許文献１のように、彫り込みの凹部に石材を嵌合したものは、嵌合時に石製構造物及び嵌め込む石材が破損しやすく、その製造が容易ではなかった。又、色合いが地味なものになり、装飾性や華やかさ、更には高級感に欠けるものであった。
【０００９】
又、引用文献２のように、彫り込みの凹部に合成樹脂と砂の混合物を充填したものは、溶融樹脂の充填後に固化した際に収縮するので、凹部から剥離、脱落し易いという問題点があった。又、色合いが地味なものになり、装飾性や華やかさ、更には高級感に欠けるものであった。
【００１０】
又、引用文献３のように、凹部に透明な充填材を充填したものは、充填材の充填時に凹部の底面に施した墨等の着色材が充填材の熱により溶けて、充填材と混ざり、見苦しくなってしまうといった問題点や、装飾性や高級感に欠け、着色した充填材を充填した場合であっても、重厚感や華やかさ、更には高級感に欠けるものとなっていた。
【００１１】
そこで、本発明は、上記のような石製構造物の従来技術の問題点を解決し、文字形状の凹部に装飾を施した石製構造物の製造を容易とすること、又、石製構造物に華やかさ、更には重厚感及び高級感を付与すること、又、耐久性を備えた装飾性を付与することを目的とする。
【課題を解決するための手段】
【００１２】
以上のような課題を解決するための本発明は、石製構造物に彫り込まれた文字の凹部に、平面形状が前記文字の形状のブロック体の上側面に金箔を貼り付けて構成した立体文字体を、前記金箔を前面にして埋設したことを特徴とする石製構造物である。
【００１３】
又、上記石製構造物において、前記立体文字体の前面を覆う透明又は半透明の板体を設置したことを特徴とする石製構造物である。
【００１４】
又、上記石製構造物において、前記ブロック体の材質は黄銅であることを特徴とする石製構造物である。
【００１５】
これらの石製構造物としては、墓石、石碑、標石、記念碑、門、壁、塀又は瓦等から選択することが出来る。
【００１６】
更に、平面形状が石製構造物に彫り込まれた文字形状のブロック体を成形し、該文字形状のブロック体の上側面に金箔を貼り付けて立体文字体を成形し、前記石製構造物に彫り込まれた文字形状の凹部に、前記立体文字体を前記金箔を前面にして埋設することを特徴とする石製構造物の製造方法である。
【００１７】
又、上記石製構造物の製造方法において、前記文字形状のブロック体の成形において、石製構造物に彫り込まれた文字を写し取り、石製構造物に彫り込まれた文字が表示された拓本を作成し、平板状の板体又はブロック体に前記拓本を貼付け、前記拓本に転写された文字形状に従って、前記平板状の板体又はブロック体から文字部分を切り取り、文字形状のブロック体を成形することを特徴とする石製構造物の製造方法である。
【００１８】
又、上記石製構造物の製造方法において、前記立体文字体の前面を覆う透明又は半透明の板体を前記石製構造物に設置することを特徴とする石製構造物の製造方法である。
【発明の効果】
【００１９】
以上のような本発明によれば、凹部に装飾を施した石製構造物の製造を容易とすることが出来た。又、石製構造物に耐久性を備えた装飾性を付与し、華やかさ、更には重厚感及び高級感を付与することが出来た。
【図面の簡単な説明】
【００２０】
【図１】本発明石製構造物正面図
【図２】本発明石製構造物縦断面図
【図３】立体文字体斜視図
【図４】立体文字体側面図
【図５】本発明保護板付石製構造物正面図
【図６】本発明石製構造物縦断面図
【図７】本発明保護板付石製構造物縦断面図
【図８】本発明保護板付石製構造物縦断面図
【発明を実施するための形態】
【００２１】
以下本発明の実施の形態を図に従って説明する。本発明の石製構造物には、墓石、石碑、標石、記念碑、門、壁、塀又は瓦等の石製の各種構造物、建築物、建築物の構成部分が含まれる。尚、これらの石製構造物として、以下墓石を例に説明する。本発明の石製構造物としての墓石４は、墓石４に彫り込まれた文字５の凹部５０に、平面形状が文字５の形状のブロック体２の上側面２１に金箔３を貼り付けて構成した立体文字体１を、金箔３を前面にして埋設した石製構造物である。尚、図においては、構成を明確にするために、構成要素の長さ、厚さ、及びそれらの比等を一部誇張して表示している。
【００２２】
立体文字体１は、図３及び４に示すように、平面形状が文字形状のブロック体２の上側面２１に金箔３を貼り付けて構成している。尚、金箔３の上面に樹脂系等のコーティング剤を塗布して、金箔３を保護することが好ましい。ブロック体２の平面形状は、立体文字体１を用いる墓石４に彫りこまれた文字５の平面形状である。
【００２３】
立体文字体１の厚さは、墓石４に彫り込まれた文字形状の凹部５０の深さ以下であれば特に限定されず、又、立体文字体１の上側面１１と下面１２の平面形状は同一で、縦断面形状を正方形又は長方形としている。
【００２４】
立体文字体１の形状は、上記形状に限定されず、上側面１１を凸状や凹状の曲面としてもよく、縦断面形状としては、半円形、かまぼこ形、台形、半楕円形等としてもよい。尚、立体文字体１の上側面１１及びブロック体２の上側面２１とは、平面視で目視できる上面に加えて平面視で目視できる側面も含む面の意味である。
【００２５】
尚、墓石４に文字形状に彫り込まれた凹部５０の側面が奥方向へ狭まっている場合、立体文字体１の側面１３を上側面１１から下面１２方向に、凹部５０の形状と同様に狭めて形成する。
【００２６】
このような立体文字体１の製造方法として、先ず、墓石４に彫り込まれた文字５を写し取り、墓石４に彫り込まれた文字５が表示された拓本を作成する。文字５を写し取る方法は特に限定されないが、文字５に紙又は合成樹脂、ゴム製等のシートをあてて、シートの上面を墨等でこすりシートに文字５を写し取ることが出来る。又、文字５の写真をとりプリントした写真として写し取り或いはその写真を複写した紙等を拓本として使用することも出来る。
【００２７】
又、新たに製造する墓石に、予め立体文字体１を設置することが決定している場合、墓石に文字を彫り込む用に作成した文字が表示された紙等の原本を複写した紙を拓本として使用することが出来る。
【００２８】
次に、平板状の板体又はより厚みを有するブロック体に拓本を貼付け、拓本に転写された文字形状に従って、平板状の板体又はブロック体から文字部分を、公知の各種切断機や切断器具を用いて切り取り、墓石４に彫り込まれた文字形状のブロック体２を成形する。
【００２９】
又、平板状の板体又はブロック体から文字部分を切り取る際に、電子計算機を用いて、電子計算機に記憶させた文字データに従って、電子計算機に記憶させたプログラムの制御の下に切断機を作動させて、平板状の板体又はブロック体から文字データの文字形状に切り取り、文字形状のブロック体２を成形することとしてもよい。
【００３０】
そして、文字形状のブロック体２のバリを取り、必要に応じて、文字形状のブロック体２の上側面を凹状や凸状の曲面に仕上げ、或いは文字形状のブロック体２の上面及び側面を削って縦断面を四角形以外の形状に形成する。又、墓石４へ嵌め込む時に墓石４の欠損を防止するために、ブロック体２の角部、特に底面と側面の角部の面取りをすることが好ましい。次に、文字形状のブロック体２の上側面２１にポリマー系や漆等の接着剤８を塗布し、金箔３を貼り付ける。このようにして形成された立体文字体１は、平面視では、金箔３のみが見えることになる。
【００３１】
文字形状のブロック体２の材質は、特に限定されないが、劣化や破損しにくく、更には所定の軟性を備えている金属が好ましい。金属の中でも、劣化しにくく、錆びにくい材質が好ましく、例えばステンレスや黄銅が好ましく、特に黄銅が好ましい。
【００３２】
本発明の石製構造物としての墓石４は、図１及び図２に示すように、墓石４に彫り込まれた文字５の凹部５０に立体文字体１を、金箔３を前面にして嵌め込んで埋設して構成されている。このようにして構成された墓石４は、文字５が表示された面を見ると、文字５が、立体的に、且つ金箔３で表示されて見えることになる。
【００３３】
又、本発明の石製構造物は、図５に示すように、立体文字体１が埋め込まれた表面に反対側が視認可能な透明又は半透明の板体としての保護板７を設置して、風雨や直射日光から立体文字体１を保護し、金箔３の剥離を防止することが好ましい。
【００３４】
保護板７は、墓石の立体文字体１が埋め込まれた面の全面に設置したり、複数の立体文字体１が埋め込まれた部分に複数の立体文字体１を覆う一枚の保護板７を設置したり、立体文字体１毎に即ち、一字毎に立体文字体１を覆う保護板７を複数設置したりすることが出来る。又、保護板７は、反対側が視認可能な透明又は半透明であれば特に限定されないが、劣化しにくく、耐久性が高い素材で形成したものであることが好ましく、ガラスや劣化しにくく、耐久性が高い合成樹脂等を使用することが好ましい。
【００３５】
墓石４の製造方法は、墓石４に彫り込まれた文字５の形状の凹部５０に立体文字体１を、金箔３を前面にして嵌め込んで埋設して行う。尚、墓石４の欠損を防止するために、立体文字体１の底面１２と側面１３の角部を予め面取りしておくことが好ましい。
立体文字体１の墓石４への固定強度を高めるために、図６に示すように、墓石４の凹部５０の底面５１と立体文字体１間に接着剤９を充填したり、立体文字体１の側面１３と凹部５０の側面５２間に接着剤９を塗布して、墓石４と立体文字体１を接着剤で固定することが好ましい。
【００３６】
保護板７を設置する場合、図７に示すように、保護板７の裏面７１に穴７２を設けると共に、墓石４に穴４４を設け両穴７２、４４に金属製等のネジ、ボルトやダボ等の棒体６１を挿入して保護板７を墓石４に固定する。穴７２は保護板７を貫通してもよいが、しなくてもよい。又、前記固定方法に替えて又は前記固定方法と共に、保護板７の裏面７１と墓石４間に接着剤を塗布して固定することも出来る。このような構成とすることで、保護板７の墓石４への固定強度を高めると共に、立体文字体１を密封して立体文字体１の劣化をより防止することができる。
【００３７】
更に、図８に示すように、保護板７を、上述の文字形状のブロック体２と同様な方法で墓石４に彫り込まれた文字５の形状に形成し、墓石４に彫り込まれた文字５の凹部５０に立体文字体１と共に、立体文字体１の外側に埋め込む構成としてもよい。このような構成とすることで、墓石４の外観がすっきりし、シンプルにすることが出来ると共に、保護板７の墓石４への固定強度を高め、立体文字体１を密封して立体文字体１の劣化を防止することが可能となる。尚、図示はしないが、保護板７の側面と凹部５０の側面５２間を接着剤で固定することが好ましい。
【００３８】
又、本発明の石製構造物は、上述のような実施形態に限定されるものではなく、又、これらの実施形態の形状、構成から適宜選択し、組み替えて、或いは組合わせて構成することが出来る。
【産業上の利用可能性】
【００３９】
以上のような石製構造物により、文字形状の凹部に装飾を施した石製構造物の製造を容易とすることが出来た。又、墓石、石碑、標石、門、壁、塀等の様々な石製構造物に耐久性のある装飾を施すことが出来、このような石製構造物を実用性あるものとすることが出来、又、家紋を含む紋章が設置された墓石等の建造物に意匠性を与え、更に、格式高い趣を醸し出し、高級感を与えるので、石製構造物の需要を喚起することが出来る。
【符号の説明】
【００４０】
１      立体文字体
２      文字形状のブロック体
２１    ブロック体上側面
３      金箔
４      墓石
５      墓石に彫り込まれた文字
５０    凹部
７      保護板
８      接着剤
９      接着剤
【図１】
2013166283.tif 000003
【図２】
2013166283.tif 000004
【図３】
2013166283.tif 000005
【図４】
2013166283.tif 000006
【図５】
2013166283.tif 000007
【図６】
2013166283.tif 000008
【図７】
2013166283.tif 000009
【図８】
2013166283.tif 000010